(57)【要約】【課題】液体を注ぎながら残量を計量でき、かつ、強酸、アルカリ、毒薬等有害な液体を計量する場合でも身体に毀れ出すような危険性がなく、しかも正確に計量することができる計量カップを提供することを目的とする。【解決手段】容器の上縁に注ぎ口を設けた計量カップであって、前記容器の外周側面に目盛りを刻設し、かつ、前記外周側面に水準器を設けることを特徴とする計量カップである。【選択図】図３
0003130811.tif 000002
【実用新案登録請求の範囲】
【請求項１】
容器の上縁に注ぎ口を設けた計量カップであって、
前記容器の外周側面に目盛りを刻設し、
かつ、前記外周側面に水準器を設けることを特徴とする計量カップ。
【請求項２】
前記目盛りは、前記注ぎ口を中心として放射状の目盛りが刻設されることを特徴とする請求項１記載の計量カップ。
【請求項３】
前記外周側面に、前記放射状の目盛りが刻設されるとともに、
前記容器の軸と平行に目盛りが刻設されることを特徴とする請求項１記載の計量カップ。
【請求項４】
前記容器は円筒形であることを特徴とする請求項１〜３のいずれか１項に記載の計量カップ。
【請求項５】
前記容器は円錐台形であることを特徴とする請求項１〜３のいずれか１項に記載の計量カップ。
【請求項６】
前記容器は円錐形であることを特徴とする請求項１〜３のいずれか１項に記載の計量カップ。
【考案の詳細な説明】
【技術分野】
【０００１】
この考案は、液体を注ぎながら残量を正確に計量できる計量カップに関する。詳しくは、計量カップ容器の外周側面、又は、外周側面の上方延長上に水準器を設け、かつ、目視により注ぎ口と水準器の中心を結ぶ線を軸として左右に傾斜することを防ぎながら、計量カップを水平台に置かなくても手で持ったまま液体を正確に計量できる計量カップに関する。
【背景技術】
【０００２】
従来、計量カップを使用して一定量の液体を他の容器に注ぐに際し、凡その量の液体を他の容器に入れてから水平台の上に計量カップを置いてそこで目盛りを読み、少なかったら追加し、多かったら減らすという試行錯誤を繰り返した。あるいは、水平台上の計量カップに別の容器から少しずつ液体を注ぎながら目標の量になったところでストップするという作業を必要とした。いずれにしても、計量カップの他に水平台を必要とした。従って、計量カップを手で持ちながら、液体を計量することは不可能であった。また当然、液体を排出しながら計量することも不可能であった。
【０００３】
ところで、計量カップについては数々の考案が提案されている。その一例として、計量カップにおいてカップの回転支点を上部に設け、取っ手に連結された楕円形リングとカップとが回転できるようにし、またカップは円筒形とし，目盛りは回転軸に対して直角方向に点によって表示した。また、注ぎ口を回転軸方向に設け、注ぎ口から放射線状に斜めのラインを表示した考案が提案されている（特許文献１参照）。
【０００４】
【特許文献１】特開平１０−２５３４２２号公報
【考案の開示】
【考案が解決しようとする課題】
【０００５】
以上の通りであって、従来の計量カップには次のような問題点がある。
【０００６】
即ち、計量カップを身近な水平台の上にのせて計量するので、計量カップの目盛を目の高さに合わせ難く計量が不正確になる。
【０００７】
また、特許文献１に代表される従来の計量カップを使用する例について、図５を参照しながら説明する。計量カップＣは、円筒形の容器１の上縁に注ぎ口２を備え、他に、容器の上端近くに直径方向２箇所の突起９，９を備える。そして、この容器１の円筒側面には回転軸に対して直角方向に点で目盛り５を入れた。一方、容器１の上端６の近傍に、容器を囲むように楕円形リング８を備え、これと取っ手３は一体となっていて、楕円形リング８には取っ手３側とその反対側に溝１０，１０がある。そして、容器１の突起９，９が溝１０，１０に上方から嵌って突起９，９を結ぶ線を回転軸として、突起９，９を支点として容器１が左右に揺動する。このような構成なので、この計量カップＣを使用して一定量の液体を他の容器に注ぐに際し、容器１が突起９，９に吊り下げられた状態にある。そのため、容器１が突起９，９を回転軸として左右に振れて、中の液体が外に毀れる恐れがあり正確に計量できない。あるいは、強酸、アルカリ、毒薬等有害な液体の場合、毀れ出して身体に付着する恐れがあり危険である。
【０００８】
そこで、本考案の計量カップは、このような従来の抱える問題点を解決するためになされたもので、液体を注ぎながら残量を計量でき、かつ、強酸、アルカリ、毒薬等有害な液体を計量する場合、毀れ出して身体に付着するような危険性がなく、しかも正確に計量することができる計量カップを提供することを目的としている。
【課題を解決するための手段】
【０００９】
そこで、本考案者等は、水平台の機能を有する水準器を計量カップに直接取り付けることに着目し計量カップを試作したところ、液体の量を正確に計量できるという知見を得た。本考案の計量カップはかかる知見を基に具現化したもので、請求項１の考案は、容器の上縁に注ぎ口を設けた計量カップであって、前記容器の外周側面に目盛りを刻設し、かつ、前記外周側面に水準器を設けることを特徴とする計量カップである。
【００１０】
また、請求項２の考案は、請求項１の考案の上記特徴に加えて、前記目盛りは、前記注ぎ口を中心として放射状の目盛りが刻設されることを特徴とする計量カップである。
【００１１】
また、請求項３の考案は、請求項１の考案の上記特徴に加えて、前記外周側面に、前記放射状の目盛りが刻設されるとともに、前記容器の軸と平行に目盛りが刻設されることを特徴とする計量カップである。
【００１２】
また、請求項４の考案は、請求項１〜３いずれか１項の上記特徴に加えて、前記容器は円筒形であることを特徴とする計量カップである。
【００１３】
また、請求項５の考案は、請求項１〜３いずれか１項の上記特徴に加えて、前記容器は円錐台形であることを特徴とする計量カップである。
【００１４】
また、請求項６の考案は、請求項１〜３いずれか１項の上記特徴に加えて、前記容器は円錐形であることを特徴とする計量カップである。
【考案の効果】
【００１５】
計量カップの注ぎ口が常に真下になるように水準器を目視しながら計量するので、注ぎ口と水準器の中心とを結ぶ線を軸として容器が左右へ傾斜、あるいは振れることを極めて小さく抑えることができる。この結果、放射あるいは傾斜目盛りに液面を合わせれば液体を排出しながら正確に計量できる。また、計量カップを手に持ち液体を注ぎながら計量することも可能となる。即ち、水準器を目視しながら計量するので、強酸、アルカリ、毒薬等有害な液体が容器の上縁から毀れて人体に付着するような危険性がないので、安心して計量することができる。また、離れた水平台の位置まで計量カップを移す必要がない等の効果を奏する。
【考案を実施するための最良の形態】
【００１６】
本考案の実施の形態を、添付図面に示した本考案の実施例に基づいて以下に具体的に説明する。
【実施例１】
【００１７】
先ず、本考案の実施例１について、図１を参照しながら説明する。本図の（ａ）は平面図、同（ｂ）は側面図である。計量カップＣは、円筒形の円筒容器１１の上縁６に注ぎ口２を備え、この径方向反対側に取っ手３を備える。さらに、図（ｂ）に示すように、取っ手３の上端近傍で円筒容器１１の外周側面の接線方向に棒状水準器４１を設ける。そして、この円筒容器１１の外周側面に注ぎ口２を中心として放射状に拡がる放射目盛り５１を線で刻んだ。円筒容器１１は中の液体の傾斜具合を見易くするために透明にした。ここで、棒状水準器４１の設置位置については、図１の（ｂ）に示すように直接この外周側面に設けるだけでなく、例えば、外周側面の上方延長上に設けることでも構わない。
【００１８】
以上のように構成され、次に作用について説明する。円筒容器１１に液体を必要に応じて満杯近くまで入れ、他の容器へ中の液体を排出しながら計量する際に使用する。注ぎ口２が常に真下になるように棒状水準器４１を目視しながら計量するので、注ぎ口２と棒状水準器４１の中心とを結ぶ線を軸として円筒容器１１が左右へ傾斜するのを極小に抑えることができる。そして、水準器４１を目視しながら計量するので、中の液体が上縁６から外へ溢れ出るようなことがない。そして、円筒容器１１が透明なので外周側面の放射目盛り５１と液面との交差点を目で確認しながら排出することができる。
【００１９】
目盛りは必ずしも線でなくても良い。例えば、点でもよく、・印のように中心が分かればよい。
【００２０】
放射目盛り５１を容器１の外周側面の注ぎ口２と水準器４１とを結ぶ線の両側に書き込んでいるが、これは右利き、左利き両方に対応するためでありどちらか一方しか使わないならば片方だけでもよい。また、注ぎ口２を中心として放射状に拡がる放射目盛り５１を円弧状に刻んだが、直線状に刻んでも良い。
【実施例２】
【００２１】
次に、本考案の実施例２について、図２を参照しながら説明する。本図の（ａ）は平面図、同（ｂ）は側面図である。
【００２２】
実施例１との主たる相違点は、棒状ではなく、輪状の水準器を容器の外周側面を廻るように上下方向に傾斜して設けるところにある。以下、実施例１と相違する箇所について主に説明する。
【００２３】
図、（ａ）、（ｂ）に示すように、円筒容器１１の外周側面を廻るように上下傾斜してエンドレスの輪状水準器４２を設ける。外周側面に注ぎ口２を中心として放射状に傾斜目盛り５２を線で刻み、そして、外周側面上半分に縦半目盛り５３および外周側面下半分に縦半目盛り５４を夫々上下方向に刻む。この縦半目盛り５３，５４は、容器の断面積が上下同じなので目盛りの間隔を等分に刻んである。このように、２種類の目盛りを刻んでいるので、区別するために例えば傾斜目盛り５２を赤色に色付けしてもよい。その他、図（ｂ）に示すように、輪状水準器４２に目印１４を設ける。
【００２４】
以上のように構成され、次に作用について説明する。取っ手３を掴んで円筒容器１１を斜めにして液体を排出しながら計量が可能である。傾斜目盛り５２を見て排出しながら液量を確認し、あるいは、縦半目盛り５３，５４を見て現在の残量を正確に計量できる。この傾斜目盛り５２は赤色にすれば、透明の円筒容器１１を通して背景の色と区別して目盛りを明確に把握し易く、円筒容器１１を傾斜した状態で減量を把握することができる。また、この計量カップＣを使用すれば、輪状水準器４２が円筒容器１１の外周側面の下から上方に傾斜しているので、輪状水準器４２による円筒容器１１の傾斜を確認でき、同時に傾斜目盛り５２、縦半目盛り５３及び５４を見ながら液量を確認できる。ここで、円筒容器１１を傾斜させる際、輪状水準器４２の液面と目印１４，１４の位置とを一致させながら容器を傾斜させることが必要である。特に、液体の残量をチェックするにあたり、実施例１のように、目盛りは横から見て、一方水準器は上から見る構造とは異なり、本実施例では、横方向から、目盛りと水準器とを同時に目視できることができるので使い勝手が良い。
【実施例３】
【００２５】
次に、本考案の実施例３について、図３を参照しながら説明する。本図の（ａ）は平面図、同（ｂ）は側面図である。
【００２６】
本実施例の実施例２との主たる相違点は、容器が円錐台形であることにある。また、放射目盛りに加えて、外周側面に容器の中心軸に上から下へ一本の目盛りを刻むところにある。以下、実施例１と相違する箇所について主に説明する。
【００２７】
計量カップＣは、容器の上縁６が広く下方が先細りで底７２を有し、上縁６に注ぎ口２を備える。この注ぎ口２は円錐台容器１２の上縁６から側面に沿って底７２に向かって縦長に延びる。そして、注ぎ口２の幅は上縁６から底７２の方へ先細る。また、放射目盛り５１に加えて上縁６から底７２へ向かって容器の軸に平行に軸目盛り５５を刻む。容器の上方程断面積が増えるので、軸目盛り５５の目盛り間隔を底７２から上縁６に近くなるほど狭めて刻んである。さらに、容器の内周側面に目盛りを刻み、図（ａ）に内側目盛り５６として示す。この場合、例えば放射目盛り５１を赤色、軸目盛り５５を青色に色を区分してもよい。本実施例では、内側目盛りのみでも使用できるので容器は必ずしも透明である必要はなく、次の実施例４についても同様である。
【００２８】
以上のように構成され、次に作用について説明する。本実施例では、容器の内周側面に内側目盛り５６を刻んだので、この目盛りを目視しながら、液体を注ぐことができることが特徴である。また、取っ手３を掴んで容器を傾けると、液体は円錐台容器１２から注がれる。液体が強酸、アルカリ、毒薬等有害な液体の場合身体に危険な液体を計量する際に、液体が直接容器からどっと一度に溢れ出る恐れがないので、本実施例の計量容器は安全で使い勝手が良い。特に、液体の残量をチェックするにあたり、従来のように、目盛りは横から見て、一方水準器は上から見る構造とは異なり、本実施例では、上方向から、目盛りと水準器とを同時に目視できることができるので使い勝手が良い。
【実施例４】
【００２９】
次に、本考案の実施例４について、図４を参照しながら説明する。本図の（ａ）は平面図、同（ｂ）は側面図である。
【００３０】
本実施例の実施例３との主たる相違点は、容器が円錐形であり、図４に示すように、底が点の他横広がりで線となる多角錐形の場合もある。また、容器の外周側面に軸に平行の目盛りを刻む。以下、実施例３と相違する箇所について主に説明する。
【００３１】
計量カップＣは、底が先細りの円錐形の円錐容器１３である。そして、この円錐容器１３の外周側面には上縁６から底へ向かって直線状に軸目盛り５５を入れる。容器の上方になる程断面積が急激に増えるので、軸目盛り５５の目盛り間隔を底７２から上縁６に近くなるほど狭めて刻んである。ここで、容器の内周側面に目盛りを刻み、図（ａ）に内側目盛り５７として示す。また、円錐容器１３の外周側面に放射目盛りを刻設することでもよい。
【００３２】
以上のように構成され、取っ手３を掴んで傾けると液体は円錐容器１３から一旦注ぎ口２に注がれる。次いで、先細りの注ぎ口２に液体が溜り、それがオーバーフローしながら少量ずつ他の容器へ排出されるので毀れ難い。この際、本体容器の外周側面が円錐形であることと相俟って、注ぎ口２が細長いことにより少量ずつ他の容器へ注ぎ出される。従って、液体が一度にどっと溢れ出る恐れがない。また、本実施例の計量カップは容器が円錐形でありデザイン性に優れる。
【００３３】
以上、容器の形状は実施例で述べたような円筒形、円錐台形あるいは円錐形のように水平断面が円形のものに限らず、容器は水平断面が多角形でもよい。また、全ての実施例では、取っ手を有することで説明したが、例えば米の計量カップのように必ずしも取っ手を必要としない。
【産業上の利用可能性】
【００３４】
なお、本考案の計量カップの使途は、液体を均等に小分けすること以外に他の分野にも応用できる。例えば、炊飯器の釜やずん胴鍋等の用途に使ってもよく、これらは内側の目盛りのみで使用できるので、容器は透明の他非透明でもよい。これを応用すれば重い容器を水平台まで運ぶ手間を省くことができる。
【図面の簡単な説明】
【００３５】
【図１】本考案の第１実施例に係る計量カップの平面図および側面図である。
【図２】同上、第２実施例に係る計量カップの平面図および側面図である。
【図３】同上、第３実施例に係る計量カップの平面図および側面図である。
【図４】同上、第４実施例に係る計量カップの平面図および側面図である。
【図５】従来例に係る計量カップの斜視図である。
【符号の説明】
【００３６】
Ｃ  計量カップ
１  容器
１１  円筒容器
１２  円錐台容器
１３  円錐容器
２  注ぎ口
３  取っ手
４  水準器
４１  棒状水準器
４２  輪状水準器
５  目盛り
５１  放射目盛り
５２  傾斜目盛り
５３  縦半目盛り
５４  縦半目盛り
５５  軸目盛り
５６  内側目盛り
５７  内側目盛り
６  上縁
７１  底
７２  底
７３  底
８  楕円形リング
９  突起
１０  溝
１４  目印  
【図１】
0003130811.tif 000003
【図２】
0003130811.tif 000004
【図３】
0003130811.tif 000005
【図４】
0003130811.tif 000006
【図５】
0003130811.tif 000007